(57)【特許請求の範囲】
【請求項１】
閉状態にて内部に指を入れ得る空間を形成する上側片及び下側片からなる本体を有し、前記上側片及び下側片は、連結部により指先側を支点として開閉可能に連結され、且つ、リムーバー液を浸み込ませた素材が位置する部位を前記上側片に有することを特徴とするネイル除去補助具。
【請求項２】
更に、前記上側片及び下側片に設けた開レバーと、上側片及び下側片を閉じ方向に付勢するバネとを有することを特徴とする請求項１に記載のネイル除去補助具。
【請求項３】
前記上側片と下側片とは、前記連結部を支点として９０度以上開くことを特徴とする請求項１又は２に記載のネイル除去補助具。
【請求項４】
更に、前記上側片及び下側片の一方または両方の内側に、クッション材を設けたことを特徴とする請求項１〜３のいずれか一つに記載のネイル除去補助具。
【請求項５】
更に、前記本体を閉じた状態で前記上側片及び下側片が重なり合う重合部を有することを特徴とする請求項１〜４のいずれか一つに記載のネイル除去補助具。
【請求項６】
更に、クッション材が上側片及び／又は下側片に設けられ、
クッション材の端縁部同士、又は、クッション材と上側片又は下側片との端縁部同士が、前記本体を閉じた状態で当接することを特徴とする請求項１〜３のいずれか一つに記載のネイル除去補助具。
【請求項７】
前記上側片、下側片のうちの少なくとも一つに発熱材料又は遠赤外線発生材料が混合されていることを特徴とする請求項１〜６のいずれか一つに記載のネイル除去補助具。
【請求項８】
更に、前記上側片及び／又は下側片に、発熱手段又は遠赤外線発生手段が設けられていることを特徴とする請求項１〜７のいずれか一つに記載のネイル除去補助具。
【請求項９】
更に、前記下側片の内側に指の爪を支持する支持部が設けられていることを特徴とする請求項１〜８のいずれか一つに記載のネイル除去補助具。
【請求項１０】
前記クッション材のうち少なくとも爪又は指に接する部分に凹凸が設けられていることを特徴とする請求項４または６に記載のネイル除去補助具。
【発明の詳細な説明】
【技術分野】
【０００１】
この発明は、主にジェルネイルやスカルプチャー等の人工爪を除去する際に用いるネイル除去補助具に関する。
【背景技術】
【０００２】
従来、ジェルネイルやスカルプチャー等の人工爪を除去する場合、リムーバー液を綿に含浸させ、この綿を指先のネイル上において指先をアルミホイルで包み、所定時間放置した後、当該アルミホイルを除去し、リムーバー液の化学作用により除去されたネイルを取り去るようにしていた。
また、このようなジェルネイル等の除去においては、特許文献１に記載されたような器具が販売されている。当該器具は、スポンジの切り込みにリムーバー液を入れて、このスポンジを電動で回転させる構造である。
【先行技術文献】
【特許文献】
【０００３】
【特許文献１】特開平１１−１２７９５０号公報
【発明の概要】
【発明が解決しようとする課題】
【０００４】
上記従来のネイル除去方法では、ユーザが個々の指にアルミホイルを巻く必要があり、大変な手間がかかっていた。また、特許文献１に記載の器具は、構造が大掛かりであり且つ指ごと個別に処置しなければならいので、ネイル除去に手間がかかっていた。この発明は、簡単な構造で手間をかけずジェルネイル等を除去するネイル除去補助具を提供することにある。
【課題を解決するための手段】
【０００５】
この発明にかかるネイル除去補助具は、閉状態にて内部に指を入れ得る空間を形成する上側片及び下側片からなる本体を有し、前記上側片及び下側片は、連結部により指先側を支点として開閉可能に連結され、且つ、リムーバー液を浸み込ませた素材が位置する部位を前記上側片に有することを特徴とする。
【０００６】
この発明にかかるネイル除去補助具は、上記発明において、更に、前記上側片及び下側片に設けた開レバーと、上側片及び下側片を閉じ方向に付勢するバネとを有することを特徴とする。
【０００７】
この発明にかかるネイル除去補助具は、上記発明において、前記上側片と下側片とは、前記連結部を支点として６０度以上開くことを特徴とする。
【０００８】
この発明にかかるネイル除去補助具は、上記発明において、更に、前記上側片及び下側片の一方または両方の内側に、クッション材を設けたことを特徴とする。
【０００９】
この発明にかかるネイル除去補助具は、上記発明において、更に、前記本体を閉じた状態で前記上側片及び下側片が重なり合う重合部を有することを特徴とする。
【００１０】
この発明にかかるネイル除去補助具は、上記発明において、前記クッション材が上側片及び／又は下側片に設けられ、クッション材の端縁部同士、又は、クッション材と上側片又は下側片との端縁部同士が、前記本体を閉じた状態で当接することを特徴とする。
【００１１】
この発明にかかるネイル除去補助具は、上記発明において、前記上側片、下側片及び前記クッション材のうちの少なくとも一つに発熱材料又は遠赤外線発生材料が混合されていることを特徴とする。
【００１２】
この発明にかかるネイル除去補助具は、上記発明において、更に、前記上側片及び／又は下側片に、発熱手段又は遠赤外線発生手段が設けられていることを特徴とする。
【００１３】
この発明にかかるネイル除去補助具は、上記発明において、更に、前記下側片の内側に指の爪を支持する支持部が設けられていることを特徴とする。
【００１４】
この発明にかかるネイル除去補助具は、上記発明において、前記上側片、下側片及びクッション材のうち少なくとも爪又は指に接する部分に凹凸が設けられていることを特徴とする。
【発明を実施するための最良の形態】
【００１５】
（実施の形態１）
図１は、この発明の実施の形態１にかかるネイル除去補助具を示す斜視図である。図２は、図１に示したネイル除去補助具の正面図である。図３は、図１に示したネイル除去補助具の背面図である。図４は、図１に示したネイル除去補助具を開いた状態を示す説明図である。図５は、上側片の内側を示す平面図であり、図６は、下側片の内側を示す平面図である。このネイル除去補助具１００は、指の形状に略相似する形状の内部空間が形成され且つ上側片１と下側片２とからなる本体３と、上側片１及び下側片２の内側に設けたクッション材４，５とを備えている。前記上側片１及び下側片２は、連結部６により指先側を支点として開閉可能に連結されている。
【００１６】
前記上側片１は、本体３を指の長さ方向に半分に分割したときの上側になる片であり、ボートを裏返したような形状で、その指先側は先細りになり、指挿入側は開口している。左右の周縁７，７の間隔は、下側片２の左右の周縁８，８の外側より若干狭くなっており、且つ、上側片１を下側片２に対して閉じた状態、換言すれば上側片１の周縁７が下側片２の周縁８の外側に被るようになって互いに重合部９を形成するようになっている。また、上側片１の指先側には、後述する連結部６が設けられ、その先には開レバー１０が延出している。
【００１７】
前記下側片２は、本体３を指の長さ方向に半分に分割したときの下側になる片であって、ボート形状であり、その指先側は先細りになり且つ指挿入側は開口している。左右の周縁８，８の間隔は、上側片１の左右の周縁７，７内側より若干広くなっており、且つ、上側片１を下側片２に対して閉じた状態、換言すれば上側片１の周縁７，７が下側片２の周縁８，８の外側に被るようになって把持固定され、互いに重合部９を形成するようになっている。また、下側片２の指先側には、後述する連結部６が設けられ、その先には前記上側片１の開レバー１０に対応する開レバー１１が延出している。
【００１８】
前記重合部９は、下側片２の周縁８，８外側と上側片１の周縁７，７内側とが接触することで形成されており、当該重合部９は一定のシール機能を奏する。即ち、この重合部９を設けることにより、本体３内でリムーバー液（ジェルリムーバー等を含む）を用いた場合でも当該リムーバー液が外側に漏れ難くなる。なお、図示しないが、下側片２の周縁８，８外側と上側片１の周縁７，７内側に互いに嵌め合う凹凸を形成してもよいし、下側片２の周縁８，８外側と上側片１の周縁７，７内側の一方又は両方にゴム等のシール材を設けても良い。
【００１９】
前記連結部６は、上側片１の指先側と、下側片２の指先側とが軸１２により連結され、この軸１２を支点として回動可能となる。また、コイルバネ１３が軸１２に通され、当該コイルバネ１３の足１４が上側片１の開レバー１０及び下側片２の開レバー１１に掛けられ、コイルバネ１３により開レバー１０，１１同士は開く方向に付勢される。これにより、上側片１及び下側片２が閉じ方向に付勢される。なお、開レバー１０，１１同士を開く方向、即ち上側片１及び下側片２を閉じ方向に付勢するのであれば、板バネを折り曲げて又は湾曲させ、中央を前記軸１２に係止させ且つ両端を開レバー１０，１１に掛けるようにしても良い（図示省略）。上側片１及び下側片２が閉じている状態で、上側片１の開レバー１０と下側片２の開レバー１１とは開いているので、開レバー１０，１１をつまむことにより、上側片１及び下側片２が開くことになる。
【００２０】
また、上側片１及び下側片２の内側面には、クッション材４，５が設けられている。このクッション材４，５は、上側片１及び下側片２の形状に沿ってこの内側を覆うように設けられる。このクッション材４，５の材料は、ウレタン、ゴム、シリコンなどの材料からなる。上側片１のクッション材４の端縁部１５は平面に構成され、また、この平面に対向することになる下側片２のクッション材５の端縁部１６も平面に構成される。これにより本体３を閉じた状態で上側片１のクッション材４の端縁部１５と、下側片２のクッション材５の端縁部１６とが当接し、シール機能を奏する。これにより、本体３内でリムーバー液を用いた場合に当該リムーバー液が外側に漏れ難くなる。また、当接面に凹凸をつけて互いにかみ合わせるようにすれば、よりシール性が増す（図示省略）。
【００２１】
また、下側片２に設けるクッション材５の指先側には、指の爪を支持する支持部１７が設けられている。この支持部１７はクッション材５として一体成形された棚状の部位であり、その上面には溝や突起等からなる凹凸面１８が形成されている。この凹凸面１８により、リムーバー液が凹に入り、凸が指に接することになるので、綿から滲みだしたリムーバー液が、指や爪の裏等に接し難くなる。なお、この凹凸面１８は、支持部１７の上面のほか、下側片２のクッション材５および上側片１のクッション材４の一部または全部に設けることができるが、少なくとも爪と指に接する部分に形成すれば、リムーバー液が長時間皮膚に接することを防止できる。例えば、下側片２のクッション材５の平面部１９および支持部１７の上面にのみ凹凸面１８を設けることもできる。
【００２２】
リムーバー液を含浸させた綿が位置する部位２０は、上側片１のクッション材４の内側であって指先側の一部が相当し、当該部位２０には、綿がずれないように先端が多少尖った細かい凹凸面２１が形成されている。
【００２３】
上側片１及び下側片２は、ポリエチレン、ポリプロピレン、ポリ塩化ビニル、ポリオレフィン等の樹脂を用いることができ、特に薬品に対する耐性を有するプラスチック材料、例えばポリフェニレンサルファイド樹脂製とするのが好ましい。また、上側片１及び下側片２（またはクッション材４，５）に、金属粒子または炭素材粒子を分散させ、これに電極を接続し、上側片１及び下側片２（またはクッション材４，５）自体が発熱するようにしても良い。加熱により、ネイル除去効果が高めることができる。
【００２４】
また、クッション材４，５の内側面に、水分を熱に変換する吸着熱現象を利用した発熱素材からなる繊維を積層してもよい（図示省略）。また、上側片１及び下側片２の外側面または内側面（当該内側面とクッション材４，５との間）に電熱線を設けて内部を加熱できるようにしても良い（図示省略）。更に、上側片１及び下側片２に、遠赤外線粉末を混合してもよい。
【００２５】
次に、この発明のネイル除去補助具１００の使用法について説明する。ユーザは、ジェルネイルやスカルプチャー等の人工爪が施された指の爪に対して、リムーバー液を含浸させた綿をのせると共に、本体３の開レバー１０，１１をつまんで上側片１と下側片２とを開き、当該指を下側片２のクッション材５の上に乗せ、開レバー１０，１１を離して上側片１を閉じる。これにより、クッション材４，５を介して上側片１と下側片２とにより指が挟まれ、前記綿は上側片１のクッション材４の凹凸面２１によりその位置が固定され、爪とクッション材４との間でずれることがなくなる。また、上側片１と下側片２とはその重合部９にてシールされ、且つ、上側片１のクッション材４の端縁部１５と下側片２のクッション材５の端縁部１６とが当接し、ここでもシールされる。また、爪はその裏側で支持部１７により支持されるので、上側片１のクッション材４と支持部１７との間に爪と綿が挟まれて、その結果、爪に対してリムーバー液がしっかりと浸透する。
【００２６】
本体３を閉じることで綿から滲みだしたリムーバー液はクッション材５の表面を伝って下に移動するが、下側片２のクッション材５には凹凸面１８が形成されているから、リムーバー液がこの凹部に入り込んで、当該リムーバー液が指に触れ難くなる。なお、クッション材５の弾性作用により異なる指のサイズにも適合できる。このネイル除去補助具１００は、各指に使用しても良いし、特定の指にのみ使用しても良い。以上が、ネイル除去補助具１００を「自ら」用いる場合の使用法である。
【００２７】
次に、ネイルサロン等において他人からジェルネイル等の除去のサービスを受ける場合、まずは施術者がリムーバー液を含浸させた綿をジェルネイル等の上におき、次に、本体３の開レバー１０，１１をつまんで上側片１と下側片２とを開き、ジェルネイル等を施した指を下側片２のクッション材５の上におかせ、開レバー１０，１１を離して上側片１を閉じる。これにより、リムーバー液を含浸した綿が除去対象であるジェルネイル上にしっかり固定される。その他の作用効果については上記同様である。
【００２８】
以上、この発明のネイル除去補助具１００によれば、簡単な構造でありながら、手間をかけることなくリムーバー液を使用し、ジェルネイル等を除去できる。
【００２９】
（実施の形態２）
図７は、この発明の実施の形態２にかかるネイル除去補助具を示す斜視図である。図８は、図７に示したネイル除去補助具を開いた状態を示す説明図である。このネイル除去補助具２００は、実施の形態１に示したネイル除去補助具１００と略同様の構成であるが、上側片１を下側片２に対して所定角度（例えば６０度以上、好ましくは９０度）以上開くことができる構造になっている点が異なる。その他の構成は、実施の形態１にかかるネイル除去補助具１００と同じであるから、その説明を省略し、同一の構成要素には同一の符合を付する。図８に示すように、上側片１を下側片２に対して所定角度以上開くことができるようにすれば、指を下側片２の上に乗せてジェルネイル等の上にリムーバー液を含浸させた綿を載せやすい。また、他人と相対して当該他人にジェルネイル等を除去してもらう場合、上側片１と下側片２とが大きく開いたほうが、作業しやすい。
【００３０】
このネイル除去補助具２００では、下側片２と上側片１とは指先側の連結部２０１をもって回転可能に連結されている。この連結部２０１は、上側片１の指先側を軸２０２により連結して互いが回転し得る構造である。上側片１の先端にはくちばし形状の突起２０３が延出しており、この突起２０３が上側片１の下側片２に対する回転角度を規制する。即ち、図７及び図８に示す例では、上側片１を開くと、突起２０３が下側片２の指先側端部に接触してそれ以上回転しない。同図の例では、上側片１が約９０度以上開かないように突起２０３により規制されている。
【００３１】
また、図９に示すように、上側片１と下側片２との指先側を単純な軸連結構造２５０とし、上側片１と下側片２とが１８０度開くようにしても良い。このようにすれば、ネイルアーティストがお客様に対面してジェルネイル等の人工爪を除去しやすい。即ち、上側片１を１８０度開いた状態で下側片２の上に指をのせ、ネイルアーティストらが、反対側からリムーバー液を含浸させた綿をジェルネイル上に載せ、上側片１を閉じるようにする。これにより、ネイルアーティストらにより、簡単にジェルネイル等の除去サービスを行うことができる。
【図面の簡単な説明】
【００３２】
【図１】この発明の実施の形態１にかかるネイル除去補助具を示す斜視図である。
【図２】図１に示したネイル除去補助具の正面図である。
【図３】図１に示したネイル除去補助具の背面図である。
【図４】図１に示したネイル除去補助具を開いた状態を示す説明図である。
【図５】上側片の内側を示す平面図である。
【図６】下側片の内側を示す平面図である。
【図７】この発明の実施の形態２にかかるネイル除去補助具を示す斜視図である。
【図８】図７に示したネイル除去補助具を開いた状態を示す説明図である。
【図９】この発明の実施の形態２の変形例にかかるネイル除去補助具を示す斜視図である。
【符号の説明】
【００３３】
１００  ネイル除去補助具
１  上側片
２  下側片
３  本体
４，５  クッション材
６  連結部
９  重合部
１０，１１  開レバー
１７  支持部
１８  凹凸面
【図１】
0004521783.tif 000002
【図２】
0004521783.tif 000003
【図３】
0004521783.tif 000004
【図４】
0004521783.tif 000005
【図５】
0004521783.tif 000006
【図６】
0004521783.tif 000007
【図７】
0004521783.tif 000008
【図８】
0004521783.tif 000009
【図９】
0004521783.tif 000010